(57)【要約】【課題】一つの固定場所について、三本以上の電線の端部を固定可能な組合せ端子金具を提供する。【解決手段】端子本体２４，３３の表裏両面側に、互いに係合することで右端子金具ＴＲと左端子金具ＴＬを組み付け状態に保持する係合手段（係合部２５，２６，３４，３５）を設けたので、右端子金具ＴＲと左端子金具ＴＬを交互に積層した状態に組み付けることができ、１つの固定場所に３本以上の電線Ｗを固定することができる。組付け時は、右端子金具ＴＲの電線Ｗと左端子金具ＴＬの電線Ｗが最も離れた状態から次第に接近するようになっているので、左右の電線Ｗが重なったり干渉したりすることがない。【選択図】　図１
2004063275.tif 000002
【特許請求の範囲】
【請求項１】
端子本体の右寄り位置から電線を後方へ延出させるように接続可能な電線接続部を備えた右端子金具と、端子本体の左寄り位置から電線を後方へ延出させるように接続可能な電線接続部を備えた左端子金具とを、その端子本体同士が積層され且つ前記電線が左右に分かれて平行配索されるように組み付けて構成される組合せ端子金具であって、
前記端子本体の表裏両面側には、前記右端子金具を前記左端子金具に対して相対的に右から左へスライドさせることにより係合され、その係合作用によってその左右両端子金具を組み付け状態に保持する係合手段が設けられていることを特徴とする組合せ端子金具。
【請求項２】
前記右端子金具の係合手段にはその左端縁から右方へ切欠されたスリットが形成され、前記左端子金具の係合手段にはその右端縁から左方へ切欠されたスリットが形成され、左右両端子金具が組み付けられる際には、一方の係合手段が相手側の係合部の前記スリットに嵌合されることで双方の端子金具の係合手段の係合代が確保される構成としたことを特徴とする請求項１記載の組合せ端子金具。
【請求項３】
前記左右各端子金具の係合手段が前記端子本体の表面又は裏面から突出する形態とされているとともに、
平板状をなす端子本体の左右いずれか一方に片寄った位置から電線を後方へ延出させ、その端子本体にはその表裏いずれか一方の面側にのみ突出する形態の前記係合手段が設けられた片面端子金具を備えており、
積層状態に組み付けられた端子金具群の積層方向両端に位置する端子金具のうち少なくとも一方の端子金具には、前記片面端子金具がその係合手段を前記端子金具群に対向させた姿勢で組み付けられていることを特徴とする請求項１又は請求項２に記載の組合せ端子金具。
【請求項４】
前記端子本体は、１枚の金属板材を少なくとも２枚以上に折り重ねることで複数の板部から構成され、その複数の板部のうち最も表面側と最も裏面側に位置する板部に、夫々、前記係合手段が形成されていること特徴とする請求項１乃至請求項３のいずれかに記載の組合せ端子金具。
【発明の詳細な説明】
【０００１】
【発明の属する技術分野】
本発明は、組合せ端子金具に関するものである。
【０００２】
【従来の技術】
図１４及び図１５には、特開平１１−６７３０５号公報に開示された一対の組合せ端子金具１００，１０１を示した。両端子金具１００，１０１には、電線Ｗの端部を組付可能な電線接続部１０２と、図示しないボルトを挿通可能な挿通孔１０３を設けた軸体固定部１０４とが設けられている。各軸体固定部１０４には、挿通孔１０３を挟んだ位置に、互いに係合可能な係合部１０５，１０６が設けられている。両端子金具１００，１０１を組み付けるには、互いの係合部１０５を相手側端子金具の挿通孔１０３の内部に進入させた状態で、両挿通孔１０３，１０３が整合するようにして接続部１０４を相対的にスライドさせる。すると、互いの係合部１０５，１０６が係合して、図１５に示すように、挿通孔１０３が厚さ方向に整合した状態で組み付けられる。
【０００３】
両端子金具１００，１０１を組み合わせた後に、一本のボルトによって両端子金具１００，１０１を所定の場所に固定することで、一ヶ所に二つの端子金具１００，１０１を取り付けることができる。
【０００４】
【発明が解決しようとする課題】
ところが、上記の組合せ端子金具１００，１０１では、最大でも二本の電線Ｗの端部を一ヶ所に組み付けることが限界となっているため、三本以上の電線Ｗの端部を固定する場合には、少なくとも二ヶ所以上の固定場所を設けなければならなかった。
【０００５】
本発明は、上記した事情に鑑みてなされたものであり、その目的は、一つの固定場所について、三本以上の電線の端部を固定可能な組合せ端子金具を提供することにある。
【０００６】
【課題を解決するための手段】
請求項１の発明は、端子本体の右寄り位置から電線を後方へ延出させるように接続可能な電線接続部を備えた右端子金具と、端子本体の左寄り位置から電線を後方へ延出させるように接続可能な電線接続部を備えた左端子金具とを、その端子本体同士が積層され且つ前記電線が左右に分かれて平行配索されるように組み付けて構成される組合せ端子金具であって、前記端子本体の表裏両面側には、前記右端子金具を前記左端子金具に対して相対的に右から左へスライドさせることにより係合され、その係合作用によってその左右両端子金具を組み付け状態に保持する係合手段が設けられている構成とした。
【０００７】
請求項２の発明は、請求項１の発明において、前記右端子金具の係合手段にはその左端縁から右方へ切欠されたスリットが形成され、前記左端子金具の係合手段にはその右端縁から左方へ切欠されたスリットが形成され、左右両端子金具が組み付けられる際には、一方の係合手段が相手側の係合部の前記スリットに嵌合されることで双方の端子金具の係合手段の係合代が確保される構成とした。
請求項３の発明は、請求項１又は請求項２の発明において、前記左右各端子金具の係合手段が前記端子本体の表面又は裏面から突出する形態とされているとともに、平板状をなす端子本体の左右いずれか一方に片寄った位置から電線を後方へ延出させ、その端子本体にはその表裏いずれか一方の面側にのみ突出する形態の前記係合手段が設けられた片面端子金具を備えており、積層状態に組み付けられた端子金具群の積層方向両端に位置する端子金具のうち少なくとも一方の端子金具には、前記片面端子金具がその係合手段を前記端子金具群に対向させた姿勢で組み付けられている構成とした。
【０００８】
請求項４の発明は、請求項１乃至請求項３のいずれかの発明において、前記端子本体は、１枚の金属板材を少なくとも２枚以上に折り重ねることで複数の板部から構成され、その複数の板部のうち最も表面側と最も裏面側に位置する板部に、夫々、前記係合手段が形成されている構成とした。
【０００９】
【発明の作用及び効果】
［請求項１の発明］
右端子金具と左端子金具は、係合手段により交互に積層した状態に組み付けることができるので、１つの固定場所について３本以上の電線を固定することができる。しかも、電線接続部は、積層順に左右に交互に分かれて平行に配置されるので、例えば、右端子金具に接続された電線同士の間には左端子金具の厚さ分の間隔が確保され、これにより、右側の電線接続部及び電線同士の干渉を回避することが可能である。
【００１０】
さらに、組み付けの際には、右寄りの位置に設けた電線接続部から電線を延出させた右端子金具を左端子金具に対して相対的に右から左へスライドさせるようにしているので、スライドの開始時には左右両電線接続部が最も離れた位置にあり、スライドが進むのに伴って両電線接続部が接近するようになる。したがって、組付けの際には、左右の電線接続部が重なったり干渉したりすることがなく、組付け作業性を向上できる。
［請求項２の発明］
左右の端子金具が組み付けられる場合には、右端子金具の係合手段のスリットの切欠方向と左端子金具の係合手段のスリットの切欠方向とが左右逆向きとなるため、双方の係合部の係止代が十分に確保されて係合可能となるのであるが、同種の端子金具同士を直接重ねて組み付けようとした場合は、双方のスリットの切欠方向が互いに同じ向きなので、係合手段の係合代を十分確保できず、係合不能となる。したがって、同じ側から電線を延出させる同種の端子金具同士を直接重なり合うように組み付けられることが防止され、ひいては、同種の端子金具の電線接続部及び電線同士が干渉することが防止される。
【００１１】
［請求項３の発明］
積層状態に組み付けられた端子金具群に片面端子金具を組み付け、その片面端子金具の端子本体における係合手段とは反対側の面を固定面に当接させると、その固定面には係合手段が干渉しないので、端子金具群及び片面端子金具を固定面に対して安定した姿勢で固定することができる。
［請求項４の発明］
端子本体を複数の板部から構成し、表面側と裏面側の係合手段を、夫々、独立した板部に形成するようにしたので、係合手段の形成に際して設計上の自由度が高い。
【００１２】
【発明の実施の形態】
［実施形態１］
以下、本発明を具体化した実施形態１を図１乃至図１２を参照して説明する。本実施形態の組合せ端子金具は４つの端子金具ＴＲｈ，ＲＬ，ＴＲ，ＴＬｈを上下に積層して組み付けることによって構成され、最も上には右片面端子金具ＴＲｈ、その下には左端子金具ＴＬ、その下には右端子金具ＴＲ、最も下には左片面端子金具ＴＬｈが配置されている。各端子金具ＴＲｈ，ＲＬ，ＴＲ，ＴＬｈは、いずれも、所定形状に打ち抜いた金属板材を曲げ加工したものである。尚、以下の説明においては、上側と表側を同意で用い、下側と裏側を同意で用いる。また、同一構造のものについては、同一符号を付すに留め、重複する詳細説明は省略する。
【００１３】
［右片面端子金具ＴＲｈ］
右片面端子金具ＴＲｈは、角部が円弧状をなす略正方形の端子本体１１と、この端子本体１１の後縁右端（端子本体１１における右寄りの位置）から後方へ延出する電線接続部１２とからなる。電線接続部１２は底板１２ａの左右両側縁からカシメ片１２ｂを上方へ立ち上げたオープンバレル状をなし、この電線接続部１２に圧着された電線Ｗが端子本体１１から後方へ延出されている。端子本体１１は、左右方向に長い前後一対の平板部１３Ｆ，１３Ｒと、この両平板部１３Ｆ，１３Ｒの右端部（左右方向において電線Ｗと同じ側の端部）同士を架橋状に連結する第１係合部１４（本発明の構成要件である係合手段）と、平板部１３Ｆ，１３Ｒの左端部同士を架橋状に連結する第２係合部１５（本発明の構成要件である係合手段）とからなり、これらに囲まれた中央部分には、ボルトを貫通させるための貫通孔１６が開口されている。後側の平板部１３Ｒには電線接続部１２が連なり、また両平板部１３Ｆ，１３Ｒは同じ高さに位置している。
【００１４】
第１係合部１４と第２係合部１５は、共に略平板状をなすとともに、互いに左右方向に間隔を空けて配置され、さらに、両係合部１４，１５はその板厚分だけ平板部１３Ｆ，１３Ｒよりも下方に位置している。尚、この２つの係合部１４，１５の組み合わせを便宜上Ａタイプと称することにする。第１係合部１４の右端部には係止孔１７が形成され、第１係合部１４の上面には、その左端縁から係止孔１７に至るテーパ面１８が形成されている。また、第１係合部１４には、その左端縁から平板部１３Ｆ，１３Ｒとの境界に沿って右方へ切欠された前後一対のスリット１９が形成されている。第２係合部１５の上面における左端側の位置には、上方へ叩き出され且つ左方へ向かって下り勾配となる係止突起２０が形成されている。また、第２係合部１５には、その左端縁から平板部１３Ｆ，１３Ｒとの境界に沿って右方へ切欠された前後一対のスリット１９が形成されれており、このスリット１９により、第２係合部１５のうち係止突起２０の形成されている略左半分が上下に若干弾性撓みし得るようになっている。
【００１５】
［左片面端子金具ＴＬｈ］
左片面端子金具ＴＬｈは、端子本体２１の後端縁左端部から電線接続部１２を延出させたものであり、電線接続部１２は底板１２ａからカシメ片１２ｂを上方に立ち上げて構成され、その電線接続部１２に圧着された電線Ｗが後方へ延出されている。端子本体２１は、右片面端子金具ＴＲｈと同様に、前後一対の平板部１３Ｆ，１３Ｒと、この両平板部１３Ｆ，１３Ｒの左端（電線Ｗと同じ側の端部）同士を連結する第１係合部２２（本発明の構成要件である係合手段）と、両平板部１３Ｆ，１３Ｒの右端同士を連結する第２係合部２３（本発明の構成要件である係合手段）とからなり、中央に貫通孔１６を有している。この２つの係合部２２，２３は、上記右端子金具ＴＲのＡタイプの係合部１４，１５を前後方向の軸を中心として１８０°回転させたものであり、右片面端子金具ＴＲｈの端子本体１１と左片面端子金具ＴＬｈの端子本体２１とは、前後方向の軸に関して点対称の関係となっている。
【００１６】
［右端子金具ＴＲ］
右端子金具ＴＲは、３枚の板部２４ａ，２４ｂ，２４ｃからなる平面視略正方形をなす端子本体２４とこの端子本体２４から後方へ延出する電線接続部１２とからなる。端子本体２４は、下板部２４ｃと、この下板部２４ｃの前端縁に連なる上板部２４ａと、この上板部２４ａの後端縁（展開状態では前端縁）に連なる中間板部２４ｂを、密着するように、且つ上から順に上板部２４ａ、中間板部２４ｂ、下板部２４ｃの配置となるように折り重ねたものであり、各板部２４ａ，２４ｂ，２４ｃの中央には、夫々、ボルトを貫通させるための貫通孔１６が互いに整合するように形成されている。電線接続部１２は、底板１２ａの左右両側縁からカシメ片１２ｂを上方へ立ち上げたものであって、その底板１２ａは下板部２４ｃの後縁右端部に連なっており、この電線接続部１２に圧着された電線Ｗが端子本体２４から後方へ延出されている。
【００１７】
下板部２４ｃは、前後一対の平板部１３Ｆと、その両平板部１３Ｒの右端部（電線と同じ側）同士を架橋状に連結する第１係合部２５（本発明の構成要件である係合手段）と、両平板部１３Ｆ，１３Ｒの左端部同士を架橋状に連結する第２係合部２６（本発明の構成要件である係合手段）とからなる。この下板部２４ｃの第１係合部２５は上記右片面端子金具ＴＲｈの第１係合部１４と形状、構成手段（係止孔１７、テーパ面１８、スリット１９）、向き、配置が同一であり、第２係合部２６は右片面端子金具ＴＲｈの第２係合部と形状、構成手段（スリット１９、係止突起２０）、向き、配置が同一である。つまり、この右端子金具ＴＲの下板部２４ｃの両係合部２５，２６はＡタイプである。
【００１８】
上板部２４ａは、下板部２４ｃと同様に、前後一対の平板部１３Ｆ，１３Ｒと、その両平板部１３Ｆ，１３Ｒの右端部（電線Ｗと同じ側）同士を架橋状に連結する第１係合部２７と、両平板部１３Ｆ，１３Ｒの左端部同士を架橋状に連結する第２係合部２８とからなる。第１係合部２７と第２係合部２８は、共に略平板状をなすとともに、互いに左右方向に間隔を空けて配置され、さらに、両係合部２７，２８はその板厚分だけ平板部１３Ｆ，１３Ｒよりも上方に位置している。尚、この２つの係合部２７，２８の組み合わせを便宜上Ｂタイプと称することにする。この上板部の第１係合部２７の下面における左端側の位置には、下方へ叩き出され且つ左方へ向かって上り勾配となる係止突起２９が形成されている。また、第１係合部２７には、その左端縁から平板部１３Ｆ，１３Ｒとの境界に沿って右方へ切欠された前後一対のスリット３０が形成されれており、このスリット３０により、第１係合部２７のうち係止突起２９の形成されている略左半分が上下に若干弾性撓みし得るようになっている。第２係合部２８の右端部には係止孔３１が形成され、第２係合部２８の下面には、その左端縁から係止孔３１に至るテーパ面３２が形成されている。また、第２係合部２８には、その左端縁から平板部１３Ｆ，１３Ｒとの境界に沿って右方へ切欠された前後一対のスリット３０が形成されている。
【００１９】
中間板部２４ｂは、中央に貫通孔１６を有するとともに上下両板部２４ａ，２４ｃの平板部１３Ｆ，１３Ｒと対応する部位を有し、上下両板部２４ａ，２４ｃの外周縁からはみ出さず且つ各係合部２５，２６，２７，２８のスリット１９，３０とは対応しない形状とされている。
［左端子金具ＴＬ］
左端子金具ＴＬは、右端子金具ＴＲと同様に、３枚の板部３３ａ，３３ｂ，３３ｃからなる平面視略正方形をなす端子本体３３とこの端子本体３３から後方へ延出する電線接続部１２とからなる。端子本体３３は、上板部３３ａと、この上板部３３ａの前端縁に連なる下板部３３ｃと、この下板部３３ｃの後端縁（展開状態では前端縁）に連なる中間板部３３ｂを、密着するように、且つ上から順に上板部３３ａ、中間板部３３ｂ、下板部３３ｃの配置となるように折り重ねたものであり、各板部３３ａ，３３ｂ，３３ｃの中央には、夫々、ボルトを貫通させるための貫通孔１６が互いに整合するように形成されている。電線接続部１２は、底板１２ａの左右両側縁からカシメ片１２ｂを上方へ立ち上げたものであって、その底板１２ａは上板部３３ａの後縁左端部に連なっており、この電線接続部１２に圧着された電線Ｗが端子本体３３から後方へ延出されている。
【００２０】
上板部３３ａは、前後一対の平板部１３Ｆ，１３Ｒと、その両平板部１３Ｆ，１３Ｒの左端部（電線Ｗと同じ側）同士を架橋状に連結する第１係合部３４（本発明の構成要件である係合手段）と、両平板部１３Ｆ，１３Ｒの左端部同士を架橋状に連結する第２係合部３５（本発明の構成要件である係合手段）とからなる。この上板部３３ａの第１係合部３４は、上記右端子金具ＴＲの下板部２４ｃ（裏面側）の第１係合部２５を前後方向の軸を中心として１８０°回転させた形態であり、上板部３３ａの第２係合部３５は、右端子金具ＴＲの下板部２４ｃ（裏面側）の第２係合部２６を前後方向の軸を中心として１８０°回転させた形態である。つまり、この左端子金具ＴＬの上板部３３ａの両係合部３４，３５はＡタイプを反転させたものであって、各係合部３４，３５には、夫々、その右端縁から平板部１３Ｆ，１３Ｒとの境界に沿って左方へ切欠された前後一対のスリット１９が形成されている。
【００２１】
下板部３３ｃは、上板部３３ａと同様に、前後一対の平板部１３Ｆ，１３Ｒと、その両平板部１３Ｆ，１３Ｒの左端部（電線Ｗと同じ側）同士を架橋状に連結する第１係合部３６と、両平板部１３Ｆ，１３Ｒの左端部同士を架橋状に連結する第２係合部３７とからなる。この下板部３３ｃの第１係合部３６は、右端子金具ＴＲの上板部２４ａ（表面側）の第１係合部２７を前後方向の軸を中心として１８０°回転させた形態であり、下板部３３ｃの第２係合部３７は、右端子金具ＴＲの上板部２４ａ（表面側）の第２係合部２８を前後方向の軸を中心として１８０°回転させた形態である。つまり、この左端子金具ＴＬの下板部３３ｃの両係合部３６，３７はＢタイプを反転させたものである。したがって、この左端子金具ＴＬの端子本体３３と右端子金具ＴＲの端子本体２４とは、前後方向の軸に関して点対称の関係となっている。尚、左端子金具ＴＬを１８０°反転させた状態では、その電線接続部１２及び電線Ｗが右端子金具ＴＲと同様に右側に位置するが、その電線接続部におけるカシメ片１２ｂの立ち上がり方向は右端子金具ＴＲの電線接続部１２とは逆に下向きとなる。
【００２２】
また、中間板部３３ｂは、中央に貫通孔１６を有するとともに上下両板部３３ａ，３３ｃの平板部１３Ｆ，１３Ｒと対応する部位を有し、上下両板部１３Ｆ，１３Ｒの外周縁からはみ出さず且つ各係合部３４，３５，３６，３７のスリット１９，３０とは対応しない形状とされている。
［作用及び効果］
４つの端子金具ＴＲｈ，ＲＬ，ＴＲ，ＴＬｈの組み付け順序は任意であるが、本実施形態では、まず、右端子金具ＴＲと左端子金具ＴＬとを組み付け、その後、右片面端子金具ＴＲｈと左片面端子金具ＴＬｈとを陣に組み付けていく場合について説明する。
【００２３】
組付けに際しては、まず、図１に示すように、右端子金具ＴＲを左端子金具ＴＬに対して右方且つ下方に位置させる。即ち、双方の電線Ｗが互いに平行で且つ最も離れた位置関係となるように準備する。この状態から、図１２（ａ）（この断面図では左右逆向きとなっている）に示すように、右端子金具ＴＲの上板部２４ａ（表面側）の第２係合部２８を左端子金具ＴＬの下板部３３ｃ（裏面側）の貫通孔１６に進入させてその第１係合部３６の右方に位置させるとともに、右端子金具ＴＲの上板部２４ａ（表面側）の第１係合部２７を左端子金具ＴＬの下板部３３ｃ（裏面側）の第２係合部３７の右方に位置させる。このとき、右端子金具ＴＲの上板部２４ａの平板部１３Ｆ，１３Ｒの上面左端部を、左端子金具ＴＬの下板部３３ｃの平板部１３Ｆ，１３Ｒの下面右端部に当接させることにより、右端子金具ＴＲの係合部２７，２８が左端子金具ＴＬの係合部３６，３７よりも板厚分だけ上方に位置するようにする。
【００２４】
このようにＢタイプの係合部２７，２８，３６，３７同士を対応させた状態から右端子金具ＴＲを左端子金具ＴＬに対して相対的に左方へスライドさせると、右端子金具ＴＲの第１係合部２７と第２係合部２８が、夫々、左端子金具ＴＬの第２係合部３７と第１係合部３６に対してその上面を擦りつつ係合され、両端子本体２４，３３と貫通孔１６同士が整合する正規組み付け状態に至ると、双方の係止突起２９と係止孔３１とが係止され、もって、両端子金具ＴＬ，ＴＲが離脱不能に保持される。この状態では、双方の端子金具ＴＬ，ＴＲの平板部１３Ｆ，１３Ｒと係合部２７，２８，３６，３７とが上下互い違いに当接するので、上下方向への離間も規制されている。さらに、各係合部２７，２８，３６，３７のスリット３０には相手側の係合部２７，２８，３６，３７の前後両端が嵌合され、これにより、左右方向における係合部２７，２８，３６，３７同士の係止代が十分大きく確保されている。また、両端子金具ＴＬ，ＴＲの組付け過程では、スライドが進むのに伴なって双方の電線接続部１２及び電線Ｗが互いに接近するが、両端子金具ＴＬ，ＴＲが正規組み付け状態に至る間に電線接続部１２及び電線Ｗ同士が重なることはない。
【００２５】
さて、この後は、左端子金具ＴＬと右片面端子金具ＴＲｈとを左右にスライドさせつつ組み付けるが、このとき左端子金具ＴＬの上板部３３ａの反転Ａタイプの第１係合部３４と第２係合部３５が、夫々、左片面端子金具ＴＬｈのＡタイプの第２係合部１５と第１係合部１４とに係合される。このＡタイプの係合も、上記Ｂタイプの係合と同様にして行われ、両端子金具ＴＲｈ，ＴＬが正規組み付け状態に至ると、係止突起２０と係止孔１７とが係止する。また、双方の電線接続部１２及び電線Ｗは、組付けが進むのに伴なって次第に接近するが、重なることはない。
【００２６】
そして、最後に、右端子金具ＴＲと左片面端子金具ＴＬｈとを左右にスライドさせつつ組み付ける。この組み付けは、右端子金具ＴＲのＡタイプの係合部２５，２６と左片面端子金具ＴＬｈの反転Ａタイプの係合部２２，２３との係合によって行われるとともに、双方の電線Ｗが、最も離れた位置から接近するようになる。
以上により、４つの端子金具ＴＲｈ，ＲＬ，ＴＲ，ＴＬｈが上下に積層し且つ貫通孔を整合させた状態で組み付けられ、これらの端子金具ＴＲｈ，ＲＬ，ＴＲ，ＴＬｈから延出された電線Ｗは、積層順に左右に交互に振り分けられることで互いに平行に且つ干渉することなく配索される。
【００２７】
上述のように本実施形態においては、右端子金具ＴＲと左端子金具ＴＬを、係合部２７，２８，３６，３７によって交互に積層した状態に組み付けることができるので、１つの固定場所について３本以上の電線Ｗを固定することができる。しかも、電線Ｗは、積層順に左右に交互に分かれて平行に配索されるので、例えば、右片面端子金具ＴＲｈと右端子金具ＴＲに接続された電線Ｗ同士の間には左端子金具ＴＬの厚さ分の間隔が確保されるので、右側の電線接続部１２及び電線Ｗ同士の干渉を回避することが可能である。
【００２８】
さらに、組み付けの際には、右寄りの位置から電線Ｗを延出させた右端子金具ＴＲを左端子金具ＴＬに対して相対的に右から左へスライドさせるようにしている。つまり、左右方向において電線Ｗとは反対側の端部を先に向けて左端子金具ＴＬに組み付けるようにしている。したがって、スライドの開始時には左右の両電線接続部１２及び両電線Ｗが最も離れた位置にあり、スライドが進むのに伴って左右の両両電線接続部１２及び両電線Ｗが接近するようになるのであって、組付けの際には、左右の電線接続部１２及び電線Ｗが重なったり干渉したりすることがない。
【００２９】
また、左右の端子金具ＴＬ，ＴＲが組み付けられる場合には、右端子金具ＴＲの係合部２７，２８のスリット３０の切欠方向と左端子金具ＴＬの係合部３６，３７のスリット３０の切欠方向とが左右逆向きとなるため、双方の係合部２７，２８，３６，３７の係止代が十分に確保されて係合可能となるのであるが、同種の端子金具例えば右端子金具ＴＲ同士を直接重ねて組み付けようとした場合は、双方のスリット１９，３０の切欠方向が互いに同じ向きとなるので、係止代を十分確保できず、係合不能となる。したがって、同じ側から電線Ｗを延出させる同種の端子金具同士を直接重なり合うように組み付けられることが防止され、ひいては、同種の端子金具の電線Ｗ同士が干渉することが防止されている。
【００３０】
また、左端子金具ＴＬと右端子金具ＴＲの係合部２５，２６，２７，２８，３４，３５，３６，３７は、いずれも、端子本体３３，２４の平板部の表面又は裏面から突出する形態とされているため、この右端子金具ＴＲ又は左端子金具ＴＬを直接固定面（図示せず）に当接させたときに係合部２５〜２８，３４〜３７が変形することが懸念される。しかし本実施形態では、係合部１４，１５，２２，２３が表裏いずれか一方の面のみに突出する形態の片面端子金具ＴＬｈ，ＴＲｈを用いているので、積層状態に組み付けられた端子金具群（左端子金具ＴＬ及び右端子金具ＴＲ）にその片面端子金具ＴＬｈ，ＴＲｈを組み付け、その片面端子金具ＴＬｈ，ＴＲｈの平板部（端子本体１１，２１）における係合部１４，１５，２２，２３とは反対側の面を固定面に当接させることができる。これにより、その固定面に対して係合部２５〜２８，３４〜３７を干渉させることが回避されるので、端子金具群（左端子金具ＴＬ及び右端子金具ＴＲ）及び片面端子金具ＴＬｈ，ＴＲｈを固定面に対して安定した姿勢で固定することができる。
【００３１】
また、左右両端子金具ＴＬ，ＴＲの端子本体２４，３３は、１枚の金属板材を少なくとも２枚以上に折り重ねることで３枚（複数）の板部２４ａ，２４ｂ，２４ｃ，３３ａ，３３ｂ，３３ｃから構成され、その複数の板部のうち最も表面側と最も裏面側に位置する板部２４ａ，２４ｃ，３３ａ，３３ｃに、夫々、係合部２５〜２８，３４〜３７が形成されているが、これは、表面側（上面側）の係合部２７，２８，３４，３５と裏面側（下面側）の係合部２５，２６，３６，３７を、夫々、独立した板部２４ａ，２４ｃ，３３ａ，３３ｃに形成することを意味する。したがって、係合部を形成するに際して設計上の自由度が高い。
【００３２】
［実施形態２］
なお、片面端子金具のうち、固定面に組み付けられる側の片面端子金具５０としては、図１３に示すように、回り止め部５１が設けられたものを用いることができる。この回り止め部５１は、固定面付近に凹設された溝部（図示せず）に嵌まり込むことで、ボルトを回し付けるときに、端子金具の連れ回りを規制することができるので、ボルト締め操作が容易となる。
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００３３】
（１）上記実施形態では左右両端子金具の端子本体を３枚の板部を重ねた形態としたが、本発明によれば、２枚重ねとしてもよく、４枚以上の板部を重ねてもよい。２枚重ねの場合は、表裏双方の板部を密着重ねにしてもよい。
（２）上記実施形態では左右端子金具の端子本体を１枚の金属板材を折り重ねて構成したが、本発明によれば、複数の独立した板材を重ね合わせて１つの端子本体を構成してもよい。
【００３４】
（３）上記実施形態では右端子金具の端子本体を構成する複数の板部のうち裏面側の板部が電線接続部に連なるようにしたが、本発明によれば、表面側の板部が電線接続部に連なるようにしてもよい。
（４）上記実施形態では左端子金具の端子本体を構成する複数の板部のうち表面側の板部が電線接続部に連なるようにしたが、本発明によれば、裏面側の板部が電線接続部に連なるようにしてもよい。
【００３５】
（５）上記実施形態では左端子金具と右端子金具を１つずつ組み付ける場合について説明したが、本発明によれば、左右いずれか１つの端子金具のみ、又は３つ以上の左右端子金具を組み付ける場合にも適用できる。
（６）上記実施形態では２つの片面端子金具を組み付けるようにしたが、本発明によれば、いずれか一方の片面端子金具のみを組み付けるようにしてもよく、片面端子金具を全く組み付けない構成とすることもできる。
【００３６】
（７）上記実施形態では係合手段が端子本体の表面又は裏面から突出する形態としたが、本発明によれば、表面と裏面のうちいずれか一方の係合手段を端子本体から突出しない形態としてもよい。
【図面の簡単な説明】
【図１】実施形態１の右端子金具と左端子金具の組み付け前の状態をあらわす斜視図
【図２】４つの端子金具の組み付け前の状態をあらわす斜視図
【図３】４つの端子金具の組み付け途中の状態をあらわす斜視図
【図４】４つの端子金具の組み付けが完了した状態をあらわす斜視図
【図５】右端子金具の展開図
【図６】右端子金具の平面図
【図７】右端子金具の底面図
【図８】図６のＸ−Ｘ線端子金具
【図９】図６のＹ−Ｙ線端子金具
【図１０】左端子金具の平面図
【図１１】図１０のＺ−Ｚ線断面図
【図１２】（ａ）左右両端子金具の組み付け途中の状態をあらわす断面図
（ｂ）左右両端子金具が組み付けられた状態をあらわす断面図
【図１３】実施形態２の斜視図
【図１４】従来例において端子金具を分離した状態をあらわす斜視図
【図１５】従来例において端子金具を組み付けた状態をあらわす斜視図
【符号の説明】
ＴＬ…左端子金具
ＴＲ…右端子金具
ＴＬｈ…左片面端子金具
ＴＲｈ…右片面端子金具
Ｗ…電線
１１，２１，２４，３３…端子本体
１４，２２，２５，２７，３４，３６…第１係合部（係合手段）
１５，２３，２６，２８，３５，３７…第２係合部（係合手段）
１９，３０…スリット
２４ａ，３３ａ…上板部（板部）
２４ｂ，３３ｂ…中間板部（板部）
２４ｃ，３３ｃ…下板部（板部）
【図１】
2004063275.tif 000003
【図２】
2004063275.tif 000004
【図３】
2004063275.tif 000005
【図４】
2004063275.tif 000006
【図５】
2004063275.tif 000007
【図６】
2004063275.tif 000008
【図７】
2004063275.tif 000009
【図８】
2004063275.tif 000010
【図９】
2004063275.tif 000011
【図１０】
2004063275.tif 000012
【図１１】
2004063275.tif 000013
【図１２】
2004063275.tif 000014
【図１３】
2004063275.tif 000015
【図１４】
2004063275.tif 000016
【図１５】
2004063275.tif 000017